(57)【要約】      （修正有）【課題】スピーカ装置の増設がしやすいスピーカ装置を提供する。【解決手段】スピーカ装置１において、スピーカ６を内装するボックス２は、該ボックス２の外部から電気的接続が可能な２極をもつ２つのコネクタ９を備えており、スピーカ６と２つのコネクタ９とはボックス２内部で極ごとに電気的に並列接続されている。【選択図】図２
2020072438.tif 000002
【特許請求の範囲】
【請求項１】
スピーカを内装するボックスは、該ボックスの外部から電気的接続が可能な２極をもつ２つのコネクタを備えており、
前記スピーカと前記２つのコネクタとは前記ボックス内部で極ごとに電気的に並列接続されていることを特徴とするスピーカ装置。
【請求項２】
前記ボックスは、左右方向に延びる略直方体であり、その下面に前記コネクタが配設され、前記コネクタには前記ボックス外部から配線ケーブルが接続されていることを特徴とする請求項１に記載のスピーカ装置。
【請求項３】
前記２つのコネクタは、前記ボックスの下面に左右に離間して形成された２つの差込口にそれぞれ配設されており、前記配線ケーブルを左右内側に誘導させる構造を有することを特徴とする請求項２に記載のスピーカ装置。
【請求項４】
前記ボックスは、その下面に左右方向に延びる凹溝が形成されていること特徴とする請求項１ないし３のいずれかに記載のスピーカ装置。
【請求項５】
前記スピーカ装置は、前記ボックス内部にトランスを備えており、一方の前記コネクタと前記スピーカとの間に前記トランスが電気的に接続されていることを特徴とする請求項１ないし４のいずれかに記載のスピーカ装置。
【請求項６】
前記スピーカ装置は、パネル部材の上部に備えられた隣り合う２つのパネルカバーに渡って横架するように前記パネルカバー上に固定されており、前記２つのパネルカバーの少なくとも一方には前記２つのパネルカバーの接続部に前記配線ケーブルが挿通される切欠が形成されていることを特徴とする請求項２または３に記載のスピーカ装置。
【請求項７】
前記ボックスの前後幅を２５ないし４０ｍｍ、左右幅を２００ないし３００ｍｍ、内容積を１００ないし１２０ｃｍ３としていることを特徴とする請求項６に記載のスピーカ装置。
【発明の詳細な説明】
【技術分野】
【０００１】
本発明は、スピーカ装置に係り、特にサウンドマスキングシステムに適したスピーカ装置に関する。
【背景技術】
【０００２】
間仕切り用のパネルを用いて空間を様々な形に仕切ることで、応接スペースや商談スペース等のブースを簡単に設置することができる。このように形成されたブースにあっては、パネルによって仕切られたブース内にいる者のプライバシーを視覚的に守ることができるものの、ブース内での会話音声が外に漏れて第三者に聞かれる可能性があるため、ブース内にいる者のプライバシーを聴覚的に守ることが求められている。
【０００３】
ブース内における会話音声が外部へ漏れないようにする技術として、音声をマスキングするスピーカユニットが知られており、例えば特許文献１には、アンプに接続された接続コードを隣り合うパネルの間を通してパネル上部に設置されるスピーカユニットに備えられた入力端子（コネクタ）に接続するようにして、アンプから電気信号を送信することでスピーカユニットから音が出力されるようになっている。また、パネル上部に複数のスピーカユニットを設置することで、ブース毎の聴覚的なプライバシーを守ることができるようになっている。
【先行技術文献】
【特許文献】
【０００４】
【特許文献１】特公平７−８１３４７号公報（第２頁、第３図）
【０００５】
しかしながら、複数のスピーカユニットを用いるには、それぞれのスピーカユニットの入力端子とアンプとの間を接続コードにより電気的に接続するものであるため、スピーカユニットの増設の際手間となる問題があった。
【発明の概要】
【発明が解決しようとする課題】
【０００６】
本発明は、このような問題点に着目してなされたもので、スピーカ装置の増設がしやすいスピーカ装置を提供することを目的とする。
【課題を解決するための手段】
【０００７】
前記課題を解決するために、本発明のスピーカ装置は、
スピーカを内装するボックスは、該ボックスの外部から電気的接続が可能な２極をもつ２つのコネクタを備えており、
前記スピーカと前記２つのコネクタとは前記ボックス内部で極ごとに電気的に並列接続されていることを特徴としている。
この特徴によれば、一方のコネクタを入力端子として利用でき、他方のコネクタを他のスピーカ装置のコネクタに電気的接続すると出力端子として利用できるため、スピーカ装置の増設がしやすい。
【０００８】
前記ボックスは、左右方向に延びる略直方体であり、その下面に前記コネクタが配設され、前記コネクタには前記ボックス外部から配線ケーブルが接続されていることを特徴としている。
この特徴によれば、コネクタに接続された配線ケーブルがボックスの下方を這うため、配線ケーブルを隠蔽できる。
【０００９】
前記２つのコネクタは、前記ボックスの下面に左右に離間して形成された２つの差込口にそれぞれ配設されており、前記配線ケーブルを左右内側に誘導させる構造を有することを特徴としている。
この特徴によれば、スピーカ装置増設の際、大きな曲げを生じさせることなく配線ケーブルを延ばすことができる。
【００１０】
前記ボックスは、その下面に左右方向に延びる凹溝が形成されていること特徴としている。
この特徴によれば、配線ケーブルを収納するスペースをボックスの下面に確保できる。
【００１１】
前記スピーカ装置は、前記ボックス内部にトランスを備えており、一方の前記コネクタと前記スピーカとの間に前記トランスが電気的に接続されていることを特徴としている。
この特徴によれば、スピーカ装置に係る電気回路がハイインピーダンス接続となり、配線での伝送ロスを低減できるため、長距離伝送が可能となる。
【００１２】
前記スピーカ装置は、パネル部材の上部に備えられた隣り合う２つのパネルカバーに渡って横架するように前記パネルカバー上に固定されており、前記２つのパネルカバーの少なくとも一方には前記２つのパネルカバーの接続部に前記配線ケーブルが挿通される切欠が形成されていることを特徴としている。
この特徴によれば、２つのパネルカバーの接続部に形成された切欠による挿通孔があることから、配線ケーブルをスピーカ装置の下面及びパネルカバーの下に通すことができるため、配線ケーブルが露出しない。
【００１３】
前記ボックスの前後幅を２５ないし４０ｍｍ、左右幅を２００ないし３００ｍｍ、内容積を１００ないし１２０ｃｍ３としていることを特徴としている。
この特徴によれば、ボックスの前後幅を２５ないし４０ｍｍとして、パネル部材の厚さ以下にすることで、前後にスピーカ装置が突出せず見栄えがよい。
【図面の簡単な説明】
【００１４】
【図１】本発明の実施例におけるパネル部材に取付けられたスピーカ装置を示す斜視図である。
【図２】実施例におけるスピーカ装置を示す分解斜視図である。
【図３】ボックス内での部品同士の配線を示した斜視図である。
【図４】スピーカ装置の下面図であり、（ａ）はコネクタを取り付ける前の状態、（ｂ）はコネクタを取り付けた状態を示す図である。
【図５】スピーカ装置を下方から見た斜視図である。
【図６】スピーカ装置の正面図である。
【図７】複数のスピーカ装置とアンプとが配線ケーブルによって接続された様子を示す斜視図である。
【図８】スピーカ装置の簡易な電気回路図である。
【図９】パネル部材上部に取付けられるスピーカ装置の斜視図である。
【図１０】配線ケーブルをスピーカ装置下方にまとめたときのスピーカ装置の正面図である。
【発明を実施するための形態】
【００１５】
本発明に係るスピーカ装置を実施するための形態を実施例に基づいて以下に説明する。
【実施例】
【００１６】
実施例１に係る商品陳列具につき、図１から図９を参照して説明する。以下、図２の紙面右下側及び図４の紙面下方を商品陳列具の正面側（前方側）とし、その前方側から見たときの上下左右方向を基準として説明する。
【００１７】
図１に示されるように、複数のパネル部材１０，１０，…を組合せて設置し、空間を仕切ることで、応接スペースや商談スペース等のブースＢが形成される。スピーカ装置１は、パネル部材１０の上面に載置され、パネル部材１０に固定されている（図９参照）。スピーカ装置１をパネル部材１０，１０，…に複数設置してマスキング音を出力させることで、各ブースＢ，Ｂ，…内における会話音声が隣接するブースＢや外部の通路に漏洩しにくくなっている。
【００１８】
図２に示されるように、スピーカ装置１は、左右方向に延び略直方体を成すボックス２と、該ボックス２の左右前後寸法が略同一な板でありボックス２の上面を覆う上面板３と、から主に構成されている。ボックス２は、上方が開口する箱体４と、略中央に上方を向くスピーカ６を備え箱体４を上方より塞ぐバッフル板５と、を備えている。尚、以後説明の便宜上、左右略同一を成す部材・部位については、特に断らない限り、一方についてのみ説明する。
【００１９】
上面板３は左右に延びる略板状の部材であり、平板の前後端に左右方向に延び下方に延設する延設部３２，３２が形成されており、該延設部３２，３２の左右両端部の前後から左右外側にかけて開口部３１が形成されている（図５，６参照）
【００２０】
バッフル板５は左右に延びる平面板５０を備え、略中央部に形成された凹部には、スピーカ６が載置される台座５５が備えられており、該台座５５に形成された円形の貫通孔５１には、スピーカ６が上方を向いたまま載置できるようになっている。バッフル板５の左右両端部にはバスレフポート５２が備えられている。バスレフポート５２はバッフル板５の端部５６と該端部５６から下方に延びるダクト５２ａにより構成されており、バスレフポート５２には上下に貫通する貫通孔５２ｂが形成されている。
【００２１】
箱体４は、トランス７、基板８及び該基板８に固定されるコネクタ９が取り付けられている。箱体４の底板部には、左右方向の中心からの距離が略等しい位置に基板８が載置される２つの台座４２，４２が備えられており、各台座４２には下向きに貫通し箱体４の外部に連通する貫通孔４１が形成されている。
【００２２】
図３に示されるように、各基板８はそれぞれコネクタ９に電気的に接続されている。２つの基板８，８は２本の導線１８ａ，１８ｂによって電気的に接続されている。また、一方の基板８はトランス７を介してスピーカ６に電気的に接続されている。具体的には、一方の基板８とトランス７との間に導線１７ａ，１７ｂ、トランス７とスピーカ６との間に導線１６ａ，１６ｂが配線されている。尚、各コネクタ９は、ボックス２の外部から電気的接続が可能な２極を有しており、コネクタ９，９、基板８，８、トランス７及びスピーカ６は極毎に接続されており、並列接続を成している。
【００２３】
図４（ａ）に示されるように、箱体４の底板面４６には左右に延びる凹溝４７が形成されており、該凹溝４７の底面４７ａには貫通孔４１が形成されている。該貫通孔４１の左右内側には略四分円の円弧状の斜面を成す傾斜面４８が備えられており、貫通孔４１が下方側に向けて漸次内側に拡開するようになっている。また、図４（ｂ）に示されるように、基板８が台座４２に配設されたとき、コネクタ９が下方を向いて貫通孔４１を挿通した状態となっており、箱体４の下面において２つのコネクタ９，９が左右方向の中心からの距離が略等しい位置に配置されるため、スピーカ装置１から出力される音の左右バランスが保たれる。尚、底板面４６にはダルマ穴４５が形成されている。
【００２４】
配線ケーブル９１のコネクタ９への接続方法及び構造を説明する。配線ケーブル９１は、その先端でむき出しとなった銅線をコネクタ９が弾性的に挟むことで接続・固定できる。図５に示されるように、コネクタ９に接続された配線ケーブル９１は、配線ケーブル９１の先端側を傾斜面４８に沿って這わせて、配線ケーブル９１の端部から離れた側を凹溝４７の底面４７ａに略直線状に沿って延ばした状態に配置する。このとき、凹溝４７の前後幅は配線ケーブル９１の２本分よりも広いため、凹溝４７内において２本の配線ケーブル９１，９１をすれ違わせて配列できる。尚、配線ケーブル９１が凹溝４７に収納されていることから、配線ケーブル９１が隠蔽され美観に優れる（図６参照）。
【００２５】
図７に示されるように、電気信号を入力するアンプ１１は、スピーカ装置１に配線ケーブル９１ａにより接続され、スピーカ装置１は他のスピーカ装置１’に配線ケーブル９１ｂにより接続される。このように、アンプ１１及び隣り合う複数のスピーカ装置１，１’，…を配線ケーブル９１ａ，９１ｂ，…によって接続できるようになっている。このとき、図８より、アンプ１１から入力される電気信号がスピーカ装置１内にあるトランス７を介してスピーカ６に伝送されるとともに、スピーカ装置１内で分岐した配線と電気的に接続される配線ケーブル９１ｂから他のスピーカ装置１’内にあるトランス７’を介してスピーカ６’に伝送されるため、同時に複数のスピーカ装置１，１’，…のスピーカ６，６’から音を出力でき、複数の配線ケーブル９１ａ，９１ｂ，…によって電気的に接続された複数のスピーカ装置１，１’，…は、一群の並列回路を成している。
【００２６】
スピーカ装置１のパネル部材１０の上部への取付けについて説明する。図９に示されるように、パネル部材１０の上部には、左右に亘って断面視略Ｕ字状の溝部１２が形成されており、該溝部１２に沿って配線ケーブル９１を左右方向に延ばす。次いで、左右方向に延びるパネルカバー１３は、左右両端に配線ケーブル９１が挿通される切欠１４が形成されており、溝部１２に上部から嵌合して覆設できるため、溝部１２に収納した配線ケーブル９１を隠蔽でき見栄えがよい。その後、パネルカバー１３の上面に図示しないネジによりネジ止めまたは釘により釘止めし、スピーカ装置１の底板面４６のダルマ穴４５（図４参照）を係合させることで、スピーカ装置１をパネル部材１０上部に着脱可能に固定できる。尚、配線ケーブル９１は、コネクタ９から傾斜面４８に沿って這い、凹溝４７に沿って略直線状に延び、左右中央部において斜め下方に延びて切欠１４に挿通する構造となっており、コネクタ９の近傍や切欠１４の位置で配線ケーブル９１を折り返していないため、配線ケーブル９１に大きな曲げを生じさせることなく延ばすことができる。
【００２７】
次いで、スピーカ装置１の大きさと出力される音の関係について詳しく説明する。一般的なスピーカ装置の場合、式１によって共振周波数の特性が決められており、低音域から高音域までの出力バランスが考慮されるが、本実施例におけるスピーカ装置１の場合、小型でありながらサウンドマスキングに適するものとしたいので、高音域の音を多少犠牲にしながらも低音域の音が十分に出力できるよう、１２５Ｈｚに共振周波数を有し、当該１２５Ｈｚにおいて５０ｄＢ以上を出力可能なスピーカ装置について検討した。このようなスピーカ装置の実現には、実験的に導出された式２を満たす必要があると判明し、さらに寸法関係の条件としてボックス２の前後幅を２５ないし４０ｍｍ、左右幅を２００ないし３００ｍｍ、内容積を１００ないし１２０ｃｍ３とし、バスレフポート５２の内径を３ないし５ｍｍ、長さを１５ないし２０ｍｍである必要があるとも判明した。例えば、ボックス２の前後幅を４０ｍｍ、上下幅を２５ｍｍ、左右幅を２５０ｍｍ、内容積を１１０ｃｍ３、バスレフポート５２の内径を４ｍｍ（半径２ｍｍ）とすると、バスレフポート５２の長さＬは１９ｍｍとなる（ただし、バスレフポート５２の断面積Ｓを３．１４×０．２２＝０．１２５６ｃｍ２、内容積を０．１１Ｌとした）。
【００２８】
【数１】
2020072438.tif 000003
【００２９】
【数２】
2020072438.tif 000004
【００３０】
以上説明したように、スピーカ６を内装するボックス２は、該ボックス２の外部から電気的接続が可能な２極をもつ２つのコネクタ９を備えており、スピーカ６と２つのコネクタ９とはボックス２内部で極ごとに並列接続されていることから、一方のコネクタ９を入力端子として利用でき、他方のコネクタ９を他のスピーカ装置１のコネクタ９に電気的接続すると出力端子として利用できるため、スピーカ装置１の増設がしやすい。
【００３１】
また、ボックス２は、左右方向に延びる略直方体であり、その下面にコネクタ９が配設され、コネクタ９にはボックス２外部から配線ケーブル９１が接続されていることから、コネクタ９に接続された配線ケーブル９１がボックス２の下方を這うため、配線ケーブル９１を隠蔽できる。
【００３２】
また、ボックス２は、その下面に左右方向に延びる凹溝４７が形成されていることから、配線ケーブル９１を収納するスペースをボックス２の下面に確保できる。
【００３３】
また、２つのコネクタ９は、ボックス２の下面に左右に離間して形成された２つの差込口にそれぞれ配設されており、配線ケーブル９１を左右内側に誘導させる構造としての傾斜面４８を有することから、スピーカ装置１増設の際、大きな曲げを生じさせることなく配線ケーブル９１を延ばすことができる。
【００３４】
また、スピーカ装置１は、ボックス２内部にトランス７を備えており、一方のコネクタ９とスピーカ６との間にトランス７が電気的に接続されていることから、スピーカ装置１に係る電気回路がハイインピーダンス接続となり、配線での伝送ロスを低減できるため、長距離伝送が可能となる。
【００３５】
また、スピーカ装置１は、パネル部材１０の上部に備えられた隣り合う２つのパネルカバー１３，１３に渡って横架するようにパネルカバー１３上に固定されており、２つのパネルカバー１３，１３の接続部に前記配線ケーブル９１が挿通される切欠１４が形成されている。このことから、２つのパネルカバー１３，１３の接続部に形成された切欠１４による挿通孔があるので、配線ケーブル９１をスピーカ装置１の下面及びパネルカバー１３の下に通すことができ、配線ケーブル９１が露出しない。
【００３６】
また、ボックス２の前後幅を４０ｍｍ、左右幅を２５０ｍｍ、内容積を１１０ｃｍ３とし、バスレフポートの内径を４ｍｍ、長さを１９ｍｍとしていることから、スピーカ装置１を小型に構成でき、種々のパネル部材１０にスピーカ装置１を設置しながらサウンドマスキングシステムに必要な低音域の音を十分に鳴らすことができる。また、ボックス２の前後幅を４０ｍｍとして、パネル部材１０の厚さ以下にすることで、前後にスピーカ装置１が突出せず見栄えがよい。
【００３７】
また、ボックス２は、該ボックス２の左右前後寸法が略同一な上面板３によって面を覆われていることから、スピーカ装置と外見上認識され難く、美観に優れ、パネル部材１０への設置に適している。
【００３８】
また、トランス７、基板８、突出部４３及び係合部４４は、箱体４の底板部において前後略中央に配置されていることから、これらの部品と箱体の前後壁との間に左右に延びる空間が形成されているため、ボックス空間部Ｖ２における共振が良好となる。
【００３９】
また、左右のバスレフポート５２，５２は、前後にずれて配置され、各々バッフル板５の中心について略対称であるため、バッフル板５を上下軸の周りに１８０度回転させても機能性を損なうことなく箱体４に装着できる。
【００４０】
また、複数の配線ケーブル９１，９１，…によって電気的に接続された複数のスピーカ装置１，１，…は、一群の並列回路を成すため、一つのスピーカ装置１のスピーカ６が不調となっても、他のスピーカ装置１のスピーカ６の出力を妨げない。
【００４１】
以上、本発明の実施例を図面により説明してきたが、具体的な構成はこれら実施例に限られるものではなく、本発明の要旨を逸脱しない範囲における変更や追加があっても本発明に含まれる。
【００４２】
例えば、スピーカ装置１は、パネル部材１０に設置してブースＢ内における会話音声が外部へ漏れないように用いられると説明したが、これに限らずパネル部材１０以外に設置してもよいし、会話音声の外部漏洩防止以外の用途に用いられてもよい。
【００４３】
また、スピーカ装置１はパネル部材１０の上面に設置されると説明したが、これに限らず、パネル部材の他の面に設置されていてもよい。
【００４４】
また、ボックス２は左右方向に延び略直方体を成すと説明したが、これに限らず、例えば平面視における正方形や楕円形等を成していてもよい。
【００４５】
また、開口部３１は、上面板３の左右両端部の前後から左右外側にかけて連続して形成されていると説明したが、これに限らず、上面板３の左右両端部の前後のみに形成されていてもよい。
【００４６】
また、スピーカ装置１のパネル部材１０への固定について、パネルカバー１３にネジ止めしたネジまたは釘止めした釘にダルマ穴４５を係合させると説明したが、これに限らず、例えば面ファスナーによる固定でもよい。
【００４７】
また、配線ケーブル９１は、その先端でむき出しとなった銅線をコネクタ９が弾性的に挟むことで電気的に接続できると説明したが、コネクタの種類はこれに限らず、例えばバナナプラグをコネクタに形成された挿入穴に挿入してもよい。
【００４８】
また、コネクタ９の位置は箱体４の下方に配設されていると説明したが、これに限らず、例えば後方側面であってもよい。
【００４９】
また、箱体４の下面において２つのコネクタ９，９が左右方向の中心からの距離が略等しい位置に配置されると説明したが、これに限らず、箱体の下面の中心に２つのコネクタが隣接して配置されていてもよいし、左右一方側に２つのコネクタが隣接して配置されていてもよい。
【００５０】
また、スピーカ装置１には２つのコネクタ９，９が備えられていると説明したが、これに限らず、３つ以上あってもよい。
【００５１】
また、スピーカ６の向きは上向きであると説明したが、これに限らず上向きでなくてもよい。
【００５２】
また、図４に示すように配線ケーブル９１，９１が左右に延びる構造について説明したが、図１０に示すように配線ケーブル９１，９１を中央下方にまとめるように延ばしてもよい。
【符号の説明】
【００５３】
１，１’      スピーカ装置
２            ボックス
３            上面板
４            箱体（ボックス）
５            バッフル板（ボックス）
６，６’      スピーカ
７，７’      トランス
８            基板
９，９’      コネクタ
１０          パネル部材
１１          アンプ
１３          パネルカバー
１４          切欠
３１          開口部
４７          凹溝
４８          傾斜面
９１          配線ケーブル
９１ａ〜ｃ    配線ケーブル
【図１】
2020072438.tif 000005
【図２】
2020072438.tif 000006
【図３】
2020072438.tif 000007
【図４】
2020072438.tif 000008
【図５】
2020072438.tif 000009
【図６】
2020072438.tif 000010
【図７】
2020072438.tif 000011
【図８】
2020072438.tif 000012
【図９】
2020072438.tif 000013
【図１０】
2020072438.tif 000014